(57)【特許請求の範囲】
【請求項１】
蒸発補助要素と、
筐体内に及び前記蒸発補助要素の下流に位置決めされた送出エンジンと、
を備えた装置であって、
前記送出エンジンが、
少なくとも２５，０００の嗅覚指数（「ＯＩ」）を有する香料混合物が入っている貯蔵器と、流体移動部材とを備え、
前記香料混合物が、臭気感知閾値（「ＯＤＴ」）が１ｐｐｂ以下の香料原料を少なくとも５重量％含み、
前記流体移動部材は、微細孔膜であり、前記微細孔膜は２ｃｍ2〜１００ｃｍ2の蒸発表面積を有し、
前記蒸発補助要素が、前記香料混合物を大気中に蒸発させる構成であり、
前記香料混合物は、プロピルアセテート、ユーカリプトール、トリプラール、ジメトール、メチルジオキソラン、リナロール、ベンジルアセテート、アルデヒドＣ−１０、フェニルエチルアルコール、アリルアミルグリコレート、シクラセット、ジプロピレングリコール、ジメチルアジペート、エチルフレイゾン、ヘディオン、ヘキシルシンナミックアルデヒド、トリエチルシトレート、バーテネックス、ゲラニオール、エチルバニリン、ジヒドロミルセノール、クマリン、γ−ウンデカラクトン、カロン１９５１、オイゲノール、およびアドキサールから成る群から選択される香料原料を含む、
装置。
【請求項２】
前記香料混合物が、１ｐｐｂ以下のＯＤＴの香料原料を少なくとも１０重量％含む、請求項１に記載の装置。
【請求項３】
前記蒸発補助要素が、送風機組立部品である、請求項１または２に記載の装置。
【請求項４】
前記送風機組立部品が、前記香料混合物を、前記流体移動部材から大気中に、１５ｍｇ／時〜７０ｍｇ／時にて蒸発させる構成である、請求項３に記載の装置。
【請求項５】
前記微細孔膜が、０．０１μｍ〜０．０３μｍの平均孔径を有する、請求項１〜４のいずれか一項に記載の装置。
【請求項６】
前記微細孔膜が、２ｃｍ2〜２５ｃｍ2の蒸発表面積を有する、請求項１〜５のいずれか一項に記載の装置。
【請求項７】
前記香料混合物が、１９ｍＮ／ｍ〜２７ｍＮ／ｍ未満の表面張力を有する、請求項１〜６のいずれか一項に記載の装置。
【請求項８】
請求項１〜７のいずれか一項に記載の装置を用意する工程を含む、揮発性香料混合物を大気中に拡散させる方法。
【請求項９】
５％〜５０％の負荷サイクルにわたって、前記蒸発補助要素を起動する工程を更に含む、請求項８に記載の方法。
【発明の詳細な説明】
【技術分野】
【０００１】
本発明は、空中への拡散を改善するための、ある嗅覚指数及び蒸気圧分布の香料混合物を含む通電式空気清浄装置、並びにその方法に関する。
【背景技術】
【０００２】
長らく、市場における様々な機器が、加熱要素、圧電素子、及び電動ファンなどの拡散補助要素により、揮発性香料混合物の放散をもたらしている。そのような機器の通電式補助は香料混合物の拡散を促進するものの、これは、多くの場合、より早期の香料混合物寿命到来、及び／又は高い初期香気強度による顧客の香気体験満足度の低下につながる。香料混合物の放散期間の長期化への取り組みとしては、より低揮発性の（すなわち、より低い蒸気圧の）香料材料を香料混合物中に処方すること、及びより大量の香料混合物を機器内にて使用することが挙げられる。しかし、これらの取り組みは、許容可能な顧客の香気体験を達成することができないものであり、並びに香料混合物量の増加、及び／又は香料混合物中に処方される香料原料量の増加のため、高コストのものとなる恐れがある。
【発明の概要】
【発明が解決しようとする課題】
【０００３】
揮発性香料混合物を大気中に放散させる機器の、顧客の香気体験満足度及び長寿命化についての改良が、そのような体験及び長寿命化の達成に必要な香料混合物量及び香料原料量を極小化しつつも、引き続き必要である。
【課題を解決するための手段】
【０００４】
１つの実施形態によれば、蒸発補助要素と、筐体内に及び送風機組立部品の下流に位置決めされた送出エンジンと、を備えた装置であって、上記送出エンジンが、少なくとも約１２，０００の嗅覚指数（「ＯＩ」）を有する香料混合物が入っている貯蔵器と、流体移動部材とを備え、上記香料混合物が、臭気感知閾値（「ＯＤＴ」）が約１ｐｐｂ以下の香料原料を少なくとも約５重量％含み、及び上記香料混合物が、約１５，０００ｐｐｂ〜約２０，０００ｐｐｂの加重平均ＶＰ範囲の香料原料を約４５重量％〜約８５重量％含み、上記蒸発補助要素が、少なくとも部分的に上記流体移動部材の上に、ある体積の空気を運び、上記液体揮発性香料混合物を大気中に蒸発させる構成である、装置が提供される。
【０００５】
別の実施形態によれば、本発明の装置を用意する工程、を含む、香料混合物を大気中に拡散させる方法が提供される。
【図面の簡単な説明】
【０００６】
本開示の様々な実施形態に関する下記説明を添付の図面と共に参照することによって、本開示の上述及び他の特徴及び利点並びにそれらを達成する方法がより明白になり、本開示そのものがよりよく理解されるであろう。
【図１】様々な香料混合物の香気強度を示すグラフである。
【図２】ある嗅覚指数の香料混合物を拡散させることができる空気清浄装置の１つの実施形態の分解斜視図である。
【図３】図２に示す空気清浄装置の分解背面図である。
【発明を実施するための形態】
【０００７】
本明細書において使用する場合、「通電式」とは、バッテリ又は電気コンセントなどの電力源を使用することによって作動する、香料混合物などの目的の有効成分を拡散又は放散させるための、装置又はシステムを指す。
【０００８】
香料混合物が、本明細書において、「送出された」又は「放散された」又は「拡散された」ものとして記載される場合、これは、その中の揮発性成分の揮発を指すものであり、その中の不揮発性成分が放散されることを必要としないことについてもまた、理解しておく必要がある。
【０００９】
１つの例示的な実施形態に関連して示される、又は述べられる特徴は、他の例示的な実施形態の特徴と組み合わせてもよい。そのような修正及び変形は、本開示の範囲内に含まれるものとする。
【００１０】
例えば、香料混合物は、通電式機器に使用するための流体移動部材を有する貯蔵器内に入っていてもよい。例示的な通電式機器は、電気加熱機器でもよい。より具体的には、機器は、米国特許第７，２２３，３６１号に記載されているとおりの芯部を有する電気プラグ式空気清浄機、バッテリ電源の加熱機器、又は他の加熱機器（例えば、触媒燃料システムなどの化学反応による電源の機器、太陽光電源の機器など）でよい。そのような機器において、芯部を加熱面と隣接する配置にし、揮発性材料を拡散させることができる。また、香料混合物を、空気浄化システム又はファンによる空気清浄機に使用するための貯蔵器内に入れて、揮発性材料を大気中に送出することができる。
【００１１】
本発明の香料混合物は、機器を起動する際、実質的に連続的な方法にて、揮発性材料を送出する。揮発性材料の放散濃度は、実質的にすべての揮発性材料が使い果たされるまでは、一定の強度を示すことができる。揮発性材料の連続的な放散は、任意の好適な長さのものにでき、それには、最大２０日、３０日、６０日、又はより長い期間が挙げられる。
【００１２】
香料混合物
本発明の香料混合物は、少なくとも１つの香料原料（「ＰＲＭ」）を含んでもよい。大部分の既存のＰＲＭは、揮発性の精油である。ＰＲＭは、香料供給元から市販されている揮発性有機化合物でもよい。更にまた、ＰＲＭは合成により得た材料でも、又は天然に得た材料でもよい。例としては、ベルガモット油、ダイダイ油、レモン油、マンダリン油、キャラウェイ油、スギの葉油、クローブ葉油、セダー油、ゼラニウム油、ラベンダー油、オレンジ油、オリガナム油、プチグレン油、ヒノキ油、パッチュリ油、ネロリ油（neroli）、及びローズ・アブソリュート油などが挙げられる。
【００１３】
理論に束縛されるものではないが、ＰＲＭの連続的な送出を、様々な要因の関数にできる。これらの要因としては、ＰＭＲの物理的特性［分子量及び飽和蒸気圧（「ＶＰ」）、臭気感知閾値（「ＯＤＴ」）など］、ＰＲＭを拡散させるために使用する流体移動部材の型式（例えば、孔径、表面積など）、環境要因（熱、気流など）、ＰＲＭを含有する香料混合物の粘度及び／又は表面張力の存在などが挙げられる。
【００１４】
驚くべきことに、特定のＶＰとＯＤＴとの組み合わせの有する嗅覚指数（「ＯＩ」）は、顧客の香気強度満足度及び長寿命化をもたらすのみならず、顧客の香気特性満足度もまたもたらすことが見出された。本発明の香料混合物の有するＯＩは、約１２，０００超、又は約２０，０００超、又は約２５，０００超、又は約２８，０００超、又は約１２，０００〜約５００，０００、又は約２０，０００〜約１００，０００、又は約２５，０００〜約１００，０００、又は約２５，０００〜約８０，０００、又は約２５，０００〜約６０，０００、又は約４０，０００〜約６０，０００でよい。
【００１５】
ＯＩは以下の方程式
【００１６】
【数１】
0006777658.tif 000002
［式中、ＯＩは、所与の香料組成物の嗅覚指数として定義され、
【００１７】
【数２】
0006777658.tif 000003
は、揮発性ＰＲＭiの２５℃でのＶＰ（ｐｐｂ単位にて表記）であり、ｘiは、香料組成物中のＰＲＭiのモル％であり、ＯＤＴiは、ＰＲＭiの臭気感知閾値（ｐｐｂ単位にて表記）であり、香料組成物中のすべてのＰＲＭが、計算ＯＩ（計算したＯＩ）値に含まれる。］によって計算される。
【００１８】
個々のＰＲＭのＶＰを、２５℃でのＶＰ値（トル単位にて表記）を与える、Ａｄｖａｎｃｅｄ  Ｃｈｅｍｉｓｔｒｙ  Ｄｅｖｅｌｏｐｍｅｎｔ  Ｌａｂｓ（「ＡＣＤ」）（Ｔｏｒｏｎｔｏ，Ｃａｎａｄａ）のＶＰ計量モデル、バージョン１４．０２を使用して計算することができ、次に分子構造に直接的に基づいて、分圧（ｐｐｂにて表記）に変換することができる。
【００１９】
個々のＰＲＭのＯＤＴを、所与のＰＲＭの分子構造に直接的に基づいて、本明細書において概説する試験方法を使用して計算することができ、ｐｐｂにて表記できる。ＯＩの計算を、例えば通電式空気清浄機に使用するための、香料混合物用のＰＭＲの選択に使用できる。
【００２０】
分子記述子の作成
香料混合物又は組成物中の各々のＰＲＭに関して、その分子構造を使用し、様々な分子記述子を計量する。分子構造は、Ａｍｅｒｉｃａｎ  Ｃｈｅｍｉｃａｌ  Ｓｏｃｉｅｔｙ（Ｃｏｌｕｍｂｕｓ，Ｏｈｉｏ，Ｕ．Ｓ．Ａ．）の一部門であるＣｈｅｍｉｃａｌ  Ａｂｓｔｒａｃｔ  Ｓｅｒｖｉｃｅ（「ＣＡＳ」）によって提供されるグラフィック分子構造図によって決定される。これらの分子構造は、ＣＡＳ  Ｃｈｅｍｉｃａｌ  Ｒｅｇｉｓｔｒｙ  Ｓｙｓｔｅｍのデータベースから各々のＰＲＭの索引名又はＣＡＳ番号を調べることによって得ることができる。ＰＲＭに関して、その試験がＣＡＳ  Ｃｈｅｍｉｃａｌ  Ｒｅｇｉｓｔｒｙ  Ｓｙｓｔｅｍのデータベースにまだ掲載されていない時点では、他のデータベース又は情報源を使用し、その構造を決定してもよい。２つ以上の異性体が存在する可能性のあるＰＲＭに関しては、そのＰＲＭを表わすために選択される、ただ一つの異性体の分子構造を使用し、分子記述子の計量を実行する。異性体の選択は、異性体の分子構造の広がりの相対的な量によって決定される。所与のＰＲＭのすべての異性体のうち、分子構造が最も広がった立体配置を有する異性体が、ＰＲＭを表わすために選択される異性体である。そのＰＲＭの他のあり得る異性体の構造は、この計量から除外される。最も広がった立体配置による異性体の分子構造を、そのＰＲＭのモル％濃度と組み合わせ、このモル％は、現にあるＰＲＭのすべての異性体の存在を反映している。
【００２１】
分子エディター又は分子描画ソフトウェアプログラム［ＣｈｅｍＤｒａｗ（ＣａｍｂｒｉｄｇｅＳｏｆｔ／ＰｅｒｋｉｎＥｌｍｅｒ  Ｉｎｃ．（Ｗａｌｔｈａｍ，Ｍａｓｓａｃｈｕｓｅｔｔｓ，Ｕ．Ｓ．Ａ．））など］を使用し、各々のＰＲＭを表わす二次元分子構造を再現する。分子構造を、非連結のフラグメント（例えば、対イオンのない単一構造）のない中性種（四級窒素原子は許される。）として表わす必要がある。以下に記載するｗｉｎＭｏｌｃｏｎｎプログラムは、適切な数の水素原子を加えることによって、任意の脱プロトン化された官能基を中性形態に変換することができ、対イオンを不要なものとする。
【００２２】
各々のＰＲＭに関して、分子描画ソフトウェアを使用して、ＰＲＭの分子構造が記述されるファイルを作成する。その後、各々のＰＲＭの様々な分子記述子を誘導するために、ＰＲＭの分子構造を記述するファイル（複数可）を、コンピュータソフトウェアプログラムｗｉｎＭｏｌｃｏｎｎ、バージョン１．０．１．３（Ｈａｌｌ  Ａｓｓｏｃｉａｔｅｓ  Ｃｏｎｓｕｌｔｉｎｇ（Ｑｕｉｎｃｙ，Ｍａｓｓａｃｈｕｓｅｔｔｓ，Ｕ．Ｓ．Ａ．）、ｗｗｗ．ｍｏｌｃｏｎｎ．ｃｏｍ）に送る。このように、ｗｉｎＭｏｌｃｏｎｎソフトウェアプログラムは、許容可能な選択枝である構造の表示方法及びファイル形式を記述する。これらの選択枝には、ＭＡＣＣＳ  ＳＤＦ形式のファイル（すなわち、構造データファイル）、又は、単純なテキストファイルの範囲内で一般に使用され、多くの場合「．ｓｍｉ」若しくは「．ｔｘｔ」のファイル名拡張子を伴うＳｉｍｐｌｉｆｉｅｄ  Ｍｏｌｅｃｕｌａｒ  Ｉｎｐｕｔ  Ｌｉｎｅ  Ｅｎｔｒｙ  Ｓｐｅｃｉｆｉｃａｔｉｏｎ（すなわち、ＳＭＩＬＥＳストリング構造線表示）のいずれかが含まれる。ＳＤＦファイルは、複数行のレコードの形式で各々の分子構造を表わし、一方、ＳＭＩＬＥＳ構造のためのシンタックス（syntax）は、余白がない単一行のテキストである。構造名又は識別子を、ＳＭＩＬＥＳストリング（string）の後の同じ行に含めること、及びスペースによって分割することによって、ＳＭＩＬＥＳストリングに加えてもよい（例えば、
Ｃ１＝ＣＣ＝ＣＣ＝Ｃ１ベンゼン）。
【００２３】
ｗｉｎＭｏｌｃｏｎｎソフトウェアプログラムを使用し、各々のＰＲＭに関する多くの分子記述子を作成し、次いで、これを表形式で出力する。ｗｉｎＭｏｌｃｏｎｎによって誘導される具体的な分子記述子を、その後、各々のＰＲＭに関するＯＤＴ値の計算のために、ＯＤＴモデル試験方法の入力として（すなわち数学的方程式中の変数項として）使用する。ＯＤＴモデルの試験方法の計量に使用される分子記述子のラベルは、ｗｉｎＭｏｌｃｏｎｎプログラムによって報告される同じラベルであり、その記述及び定義は、ｗｉｎＭｏｌｃｏｎｎの資料に掲載されているものを、見出すことができる。以下は、ｗｉｎＭｏｌｃｏｎｎソフトウェアプログラムの実行方法、及び組成物中の各々のＰＲＭに関して必要な分子構造記述子の作成方法の包括的な記載である。
【００２４】
ｗｉｎＭｏｌｃｏｎｎを使用する分子構造記述子の計量：
１）１つ以上の香料成分の分子構造を、ＳＤＦファイルとも呼ばれるＭＡＣＣＳ構造データファイルの形態に、又はＳＭＩＬＥＳファイルとして変換する。
２）バージョン１．０．１．３のｗｉｎＭｏｌｃｏｎｎプログラムを使用し、適切なコンピュータで実行し、上述のＳＤＦファイル又はＳＭＩＬＥＳファイルを入力として使用し、このプログラムから入手可能な分子記述子のすべてのものを計量する。
ａ．ｗｉｎＭｏｌｃｏｎｎの出力は、ＡＳＣＩＩテキストファイルの形態であり、典型的には、スペース区切りされており、入力ファイルの各々の構造に関して、第１の列に構造識別子が入っており、残りの列にそれぞれの分子記述子が入っている。
３）スプレッドシートソフトウェアプログラム又はある種の他の適切な技術を使用し、テキストファイルをパースし列にする。分子記述子のラベルは、得られた表の第１行に見出される。
４）分子記述子のラベルによって特定され、各々のモデルに必要な入力に対応する、記述子の列を発見し、抽出する。
ａ．なお、ｗｉｎＭｏｌｃｏｎｎ分子記述子のラベルは、大文字小文字を区別するものである。
【００２５】
ＯＤＴの決定方法
ＯＤＴ値を、Ｊａｖａプログラミング用コンピュータ言語で書かれ本明細書に提供される計量ＯＤＴモデルの使用により、香料混合物中にて特定される各々の遊離ＰＲＭに関し計量する。ＯＤＴモデルのためのプログラムのソースコードは、本明細書において、ＯＤＴＮｅｕｒａｌＮｅｔｗｏｒｋｓ．ｊａｖａ用、及びＯＤＴＮｅｕｒａｌＮｅｔｗｏｒｋｓＤｅｓｃｒｉｐｔｏｒｓ．ｊａｖａ用の２部として、ワードプロセッサのテキスト形式にて提供される。双方のＪａｖａクラスが、モデルを実行するために必要である。ＯＤＴＮｅｕｒａｌＮｅｔｗｏｒｋｓＤｅｓｃｒｉｐｔｏｒｓのクラスは、ニューラルネットワークを実行するために必要な分子記述子が確実に本来の順序にてネットワークに提供されることを目的とする、データコンテナである。ＯＤＴＮｅｕｒａｌＮｅｔｗｏｒｋｓのクラスには、ニューラルネットワークの方程式が入っており、ＯＤＴＮｅｕｒａｌＮｅｔｗｏｒｋｓＤｅｓｃｒｉｐｔｏｒｓのクラスのインスタンスを入力として予想する。これらの２つのＪａｖａソースコードのクラスのファイルを、ユーザが書いた他のコードと組み合わせる必要があり、ＯＤＴＮｅｕｒａｌＮｅｔｗｏｒｋｓＤｅｓｃｒｉｐｔｏｒｓのインスタンスに必要なｗｉｎＭｏｌｃｏｎｎ記述子のデータが加えられ、次に、そのオブジェクトをＯＤＴＮｅｕｒａｌＮｅｔｗｏｒｋｓのインスタンスに渡した後、結果を回収することとなる。これらのクラスは、Ｊａｖａソフトウェアのプラットホームのバージョン１．７以降（Ｓｕｎ  Ｍｉｃｒｏｓｙｓｔｅｍｓ／Ｏｒａｃｌｅ  Ｃｏｒｐｏｒａｔｉｏｎ（Ｒｅｄｗｏｏｄ  Ｓｈｏｒｅｓ，Ｃａｌｉｆｏｒｎｉａ，Ｕ．Ｓ．Ａ．））にて実行されることを予定している。
【００２６】
これに関連するものは、上述のプログラムのソースコードが「ＯＤＴＮｅｕｒａｌＮｅｔｗｏｒｋｓ」及び「ＯＤＴＮｅｕｒａｌＮｅｔｗｏｒｋｓＤｅｓｃｒｉｐｔｏｒｓ」として保存されているコンパクトディスク（「ＣＤ−Ｒ」）である。このワードプロセッサのテキスト形式のファイルは、２０１５年４月２１日に創作されたものであり、それぞれに１４１バイト及び１７バイトのデータが入っている。ＣＤ−Ｒの全容が、本明細書に参照により組み込まれる。
【００２７】
ＯＤＴ値を計量するために使用されるモデルは、書籍「Ｓｔａｎｄａｒｄｉｚｅｄ  Ｈｕｍａｎ  Ｏｌｆａｃｔｏｒｙ  Ｔｈｒｅｓｈｏｌｄｓ」（Ｄｅｖｏｓ，Ｍ．、Ｐａｔｔｅ，Ｆ．、Ｒｏｕａｕｌｔ，Ｊ．、Ｌａｆｆｏｒｔ，Ｐ．、Ｖａｎ  Ｇｅｍｅｒｔ，Ｌ．Ｊ．、Ｓｔａｎｄａｒｄｉｚｅｄ  Ｈｕｍａｎ  Ｏｌｆａｃｔｏｒｙ  Ｔｈｒｅｓｈｏｌｄｓ、ＩＲＬ：Ｏｘｆｏｒｄ，Ｅｎｇｌａｎｄ，１９９０．）に提供されているＯＤＴデータに基づく。この状況において、ヒトのＯＤＴは、嗅覚の指数（ｐ．ｏｌ）として表記される（空気中の臭気物質のモル濃度の、１０を底とする対数の負値であり、ヒトが臭気物質の存在を感知する最低限の値）。これらの値を、ｐｐｍ（体積）及びｐｐｂ（体積）などの他の一般に使用される単位に直接変換することができ、１ｐｐｍ及び１ｐｐｂの閾値は、それぞれ、ｐ．ｏｌ＝６、及びｐ．ｏｌ＝９と等価である。ＯＤＴ計量モデル自体は、Ｊａｖａプログラミング言語で書かれた１０個の個々の計量ニューラルネット（「ＣＮＮ」）モデルのセットである。１０個のＣＮＮモデルすべての出力を平均し、平均ｐ．ｏｌ値を予測値のセットの標準偏差と併せて報告する。
【００２８】
以下のＯＤＴ計量値試験方法を実行するために必要な初期情報としては、試験される香料混合物中の各々のＰＲＭの特定及び分子構造、並びに本明細書において記載されるそれぞれの試験方法に従って決定されたとおりの、そのＰＲＭの各々に関する様々な計量により誘導された分子記述子の値が挙げられる。更に、各々のＰＲＭの重量％もまた、香料混合物のＯＩを計算するために必要である。
【００２９】
ＯＤＴ計量に必要な、ｗｉｎＭｏｌｃｏｎｎにより誘導された具体的な分子記述子としては、
ｎａｓＳ＝イオウ原子の総数、
Ｈｍａｘ＝最高原子濃度、ＨＥ状態（最大極性の水素原子の部位）、
ｆｗ＝構造の式量、
ｘｃ３＝３次クラスタ分子結合指数、
ｎｕｍＨＢａ＝水素結合受容性原子の総数、
ｅ２Ｃ３Ｏ１ｓ＝２つの他の非水素原子に結合した酸素原子と炭素原子との二重結合に関する、結合型電子位相幾何学的状態指標の総計、
ｅ１Ｃ３Ｏ１ｄ＝２つの他の非水素原子に結合したヒドロキシル酸素原子とｓｐ2炭素原子との単結合に関する、結合型電子位相幾何学的状態指標の総計、
ＳｓｓＣＨ２＝メチレン（−ＣＨ2−）の炭素原子に関する、電子位相幾何学的状態指標値の総計、
ｘｖ１＝価数補正した１次分子結合指数、
ＳＨＨＢａ＝分子中のすべての水素結合受容性原子に関する、電子位相幾何学的状態指標値の総計、
ｎａｓＯ＝酸素原子の総数、
ｅ２Ｃ２Ｏ１＝１つの水素原子と１つの非水素原子とに結合した酸素原子と炭素原子との二重結合に関する、電子位相幾何学的状態指標の総計、
ｎａｓＣ＝炭素原子の総数、
ＳＨＨＢｄ＝水素結合供与性原子上のすべての水素原子に関する、水素原子電子位相幾何学的状態指標の総計、
ｎｒｂｏｎｄ＝回転可能な結合の総数、
ｎｅｌｅｍ＝元素の種類の総数、
ＳｓＣＨ３＝メチル基（−ＣＨ3）の炭素原子に関する、電子位相幾何学的状態指標の総計、
ｅａＣ２Ｃ２ａ＝２つの不飽和芳香族炭素原子間の芳香族結合に関する、結合型電子位相幾何学的状態指標の総計、
ｅ１Ｃ３Ｏ１ａ＝ヒドロキシル酸素原子と芳香環炭素原子との単結合に関する、結合型電子位相幾何学的状態指標の総計、
ＳＨＣｓａｔｕ＝ｓｐ2炭素原子とも結合しているｓｐ3炭素上の水素原子に関する、水素原子電子位相幾何学的状態指標の総計、
Ｑｖ＝電子位相幾何学的状態極性指標、
ｎｖｘ＝グラフの頂点の総数（非水素原子の総数）
が挙げられる。
【００３０】
具体的な分子記述子を、ｗｉｎＭｏｌｃｏｎｎソフトウェアによって表形式で出力する。ＯＤＴモデル自体は、ＯＤＴＮｅｕｒａｌＮｅｔｗｏｒｋｓのクラスに提供されている。ＯＤＴＮｅｕｒａｌＮｅｔｗｏｒｋｓＤｅｓｃｒｉｐｔｏｒｓのヘルパークラスにより、ｓｅｔｔｅｒメソッド（setter method：セッターメソッド）に、個々の記述子をヘルパーのインスタンスに任意の順序にて加えることのできる方法が提供される。ヘルパークラスのｇｅｔＯｒｄｅｒｅｄＤｅｓｃｒｉｐｔｏｒｓ（）メソッドは、ニューラルネットワークのモデルに必要な記述子の秩序配列を返す。ＯＤＴモデルを実行するためには、１）ヘルパークラスのインスタンスを作成し、２）ヘルパークラスのインスタンスをｗｉｎＭｏｌｃｏｎｎが必要とする記述子の値と共に格納し、３）ヘルパークラスからの記述子の秩序配列をＯＤＴモデルのインスタンスに渡し、４）及び次に、モデルのインスタンスから戻ってｇｅｔＯＤＴＭｏｄｅｌＲｅｓｕｌｔ（）メソッドを使用し、計量ＯＤＴ（計量したＯＤＴ）値を取得する、メインクラスを作成することが必要である。メインクラスは、ユーザが提供することを予定しており、ｗｉｎＭｏｌｃｏｎｎの記述子において読み取る役割のものであり、及び各々のＰＲＭに関するモデルから誘導された計量ＯＤＴ値を報告する役割のものである。
【００３１】
ＯＤＴモデルは、ＣＮＮの形態のものである。各々のＣＮＮは、Ｊａｖａ（バージョン１．７）に、単一のＪａｖａクラスのオブジェクト内に具現化されている各々のネットワークと共に実装されている。ＯＤＴモデルを実行するためには、モデルクラスに必要な入力を作成し、インスタンスを作成し実行し、次に結果を回収し報告する、Ｊａｖａメインクラスにより、モデルクラスをラップすることが必要である。ＣＮＮモデルクラスは、モデル入力を本来の順序にてＣＮＮに提供するために必要な補助（associated）Ｄｅｓｃｒｉｐｔｏｒクラスを有する。Ｊａｖａメインクラスは、それぞれの記述子のクラスにインスタンスを作成し、記述子のクラスのインスタンスに必要なｗｉｎＭｏｌｃｏｎｎの記述子を加え、次にその記述子のクラスのインスタンスを引数としてＣＮＮに通す必要がある。
【００３２】
臭気感知指数の計量：
１）本明細書において提供されるＯＤＴＮｅｕｒａｌＮｅｔｗｏｒｋｓＤｅｓｃｒｉｐｔｏｒｓ及びＯＤＴＮｅｕｒａｌＮｅｔｗｏｒｋｓのクラスのインスタンスを作成しアクセスする、Ｊａｖａのメイン実行クラスを作成する。
２）対象の各々の香料原料に関して、
ａ．ｗｉｎＭｏｌｃｏｎｎプログラム（バージョン１．０．１．３）を使用し、利用可能な分子記述子のすべてのものを計量する。
ｂ．ｗｉｎＭｏｌｃｏｎｎの出力から、以下の分子記述子（ｎａｓＳ，Ｈｍａｘ，ｆｗ，ｘｃ３，ｎｕｍＨＢａ，ｅ２Ｃ３Ｏ１ｓ，ｅ１Ｃ３Ｏ１ｄ，ＳｓｓＣＨ２，ｘｖ１，ＳＨＢａ，ｎａｓＯ，ｅ２Ｃ２Ｏ１，ｎａｓＣ，ＳＨＨＢｄ，ｎｒｂｏｎｄ，ｎｅｌｅｍ，ＳｓＣＨ３，ｅａＣ２Ｃ２ａ，ｅ１Ｃ３Ｏ１ａ，ＳＨＣｓａｔｕ，Ｑｖ，ｎｖｘ）の値を抽出する。
ｃ．Ｊａｖａのメイン実行プログラム内に、ＯＤＴＮｅｕｒａｌＮｅｔｗｏｒｋｓＤｅｓｃｒｉｐｔｏｒｓのクラスのインスタンスを作成する。
ｄ．ＯＤＴＮｅｕｒａｌＮｅｔｗｏｒｋｓＤｅｓｃｒｉｐｔｏｒｓのインスタンスのｓｅｔｔｅｒメソッドを使用し、ステップ２ｂに掲載された記述子のすべての値を設定する。
ｅ．同じＪａｖａのメイン実行プログラム内に、パラメータの引数としてステップ２ｄにて作成されたＯＤＴＮｅｕｒａｌＮｅｔｗｏｒｋｓＤｅｓｃｒｉｐｔｏｒｓのインスタンスを使用し、ＯＤＴＮｅｕｒａｌＮｅｔｗｏｒｋｓのクラスのインスタンスを作成する。
ｆ．同じＪａｖａのメイン実行プログラム内に、ｇｅｔＯＤＴＭｏｄｅｌＲｅｓｕｌｔ（）メソッドをステップ２ｅにて作成したＯＤＴＮｅｕｒａｌＮｅｔｗｏｒｋｓのインスタンス上にコールすることによって、所与の香料原料に関する計量臭気感知閾値（計量した臭気感知閾値）を回収する。
【００３３】
香料混合物は、前述のＯＩ範囲のうちの１つを有してもよく、約１ｐｐｂ以下のＯＤＴを有するＰＲＭが少なくとも約５重量％（混合物に対する重量％）、又は約１ｐｐｂ以下のＯＤＴを有するＰＲＭが約１０重量％、又は約１ｐｐｂ以下のＯＤＴを有するＰＲＭが約１０重量％〜約５０重量％、又は約１ｐｐｂ以下のＯＤＴを有するＰＲＭが少なくとも約２０重量％、又は約１ｐｐｂ以下のＯＤＴを有するＰＲＭが約２０重量％〜約５０重量％、又は約１ｐｐｂ以下のＯＤＴを有するＰＲＭが少なくとも約３０重量％、又は約１ｐｐｂ以下のＯＤＴを有するＰＲＭが約３０重量％〜約５０重量％、又は約０．５ｐｐｂ〜約１ｐｐｂのＯＤＴを有するＰＲＭが少なくとも約１０重量％、又は約０．５ｐｐｂ〜約１ｐｐｂのＯＤＴを有するＰＲＭが約１０重量％〜約５０重量％のものでよい。
【００３４】
本発明に好適な香料混合物の例示的なＯＩ値を表１に示す。
【００３５】
【表１】
0006777658.tif 000004
【００３６】
香料混合物は、約４５重量％〜約８５重量％のＰＲＭを含むことができ、加重平均ＶＰ範囲が約１５，０００ｐｐｂ〜約２０，０００ｐｐｂのものにでき、又は約５０重量％〜約８０重量％のＰＲＭを含むことができ、加重平均ＶＰ範囲が約１５，０００ｐｐｂ〜約２０，０００ｐｐｂのものにでき、又は約５５重量％〜約７５重量％のＰＲＭを含むことができ、加重平均ＶＰ範囲が約１５，０００ｐｐｂ〜約２０，０００ｐｐｂのものにできる。例示的な香料混合物のＶＰ範囲を表２に示す。
【００３７】
【表２】
0006777658.tif 000005
【００３８】
任意の市販されているＰＲＭを、本発明に好適なＯＩ範囲を有する香料混合物中に使用することができる。ＰＲＭ材料としては、表３に掲載されているものが挙げられる。
【００３９】
【表３】
0006777658.tif 000006
【００４０】
また、香料混合物は、水、溶媒などをはじめとする公知のキャリア材料などの不揮発性成分を含有してもよい。香料混合物は、香料混合物の３５重量％未満、又は２５重量％未満の、当該技術分野において公知の溶媒を有してもよい。
【００４１】
本発明の香料混合物が組成物中に存在し、当該技術分野において公知の付加的な成分を有してもよい。例えば、香料混合物を、上述のとおり、キャリアと組み合わせることができ、及び／又は悪臭成分と組み合わせて臭気を中和することができる。好適な香料混合物は、シクロデキストリン、ポリアミンポリマー、反応性アルデヒド、及びイオノン（ionones）を含む。そのような場合、本発明の香料混合物は、組成物の５０重量％〜１００重量％の香料混合物及び組成物の３０重量％〜５０重量％の１つ以上のキャリア、又は組成物の０．００１重量％〜１０重量％の香料混合物及び組成物の９０重量％〜９９重量％の付加的な成分を含む量にて使用してよい。
【００４２】
本発明の香料混合物を流体移動部材（市販されている芯部又は通気性の膜）で使用する場合、香料混合物の粘度は、ＰＲＭを流体移動部材に送出する方法及び時の制御が可能であると考えてよい。例えば、より低粘度のＰＲＭは、より高粘度のＰＲＭよりも、速く流れることができる。より低粘度の相よりわずかに低密度、又は同様の密度である、より高粘度のＰＲＭは、重力によって香料混合物を含む貯蔵器に残ることが可能である。したがって、より低粘度のＰＲＭを、移動部材に送出することができ、及びより早く大気に放散させることができる。ＰＲＭは、粘度が約２３ｃＰ未満、及び表面張力が約３３ｍＮ／ｍ未満のものでよい。１つの実施形態において、ＰＲＭを含有する香料混合物の有する粘度は、約１．０ｃＰ〜約２５ｃＰ未満、あるいは約１．０ｃＰ〜約２３ｃＰ未満、あるいは約１．０ｃＰ〜約１５ｃＰ未満でよい。
【００４３】
香料混合物を設計することにより、香料混合物の有する表面張力を、約１９ｍＮ／ｍ〜約３３ｍＮ／ｍ未満、あるいは約１９ｍＮ／ｍ〜約３０ｍＮ／ｍ未満、あるいは約１９ｍＮ／ｍ〜約２７ｍＮ／ｍ未満にできる。
【００４４】
拡散させる装置及び方法
本発明は、本明細書において記載された香料混合物を、空中に拡散させる装置及び方法を含む。送出エンジンは、液体揮発性香料混合物をその内部に有し、及び液体香料混合物と流体連通する流体移動部材（通気性の膜又は芯部など）を有する。方法は、蒸発補助要素及び送出エンジンを有する任意の空気清浄機器、を用意する工程、を含んでもよい。蒸発補助要素は、送風機組立部品でもよい。方法は、電源を介し、蒸発補助要素を起動する工程、を含む。蒸発補助要素が化学物質を含む、又は撹拌機を備えるいくつかの実施形態において、起動工程は、有効量の化学的蒸発補助要素を加えること、又は機器及び／若しくは送出エンジンの手動撹拌で液体揮発性香料混合物の蒸発を補助すること、を含んでもよい。また、本発明の方法は、本明細書において開示されているとおりの負荷サイクルにより蒸発補助要素を起動する工程、を含む。
【００４５】
装置
本発明の香料混合物を、通電式空気清浄機をはじめとする任意の空気清浄機に使用することができる。いくつかの実施形態において、香料混合物を、米国特許公開第２０１４／０３６９８９５号に記載されているものなどの、ファンによる空気清浄機に使用する。装置１０は、筐体２０、及び香料混合物が入っている送出エンジン５０を備えており、並びに図２に示すとおりの芯部又は通気性の膜を備えることができる、流体移動部材６０を備える。
【００４６】
筐体２０は、送出エンジン５０及び送風機組立部品８０を収容することができる。筐体２０は、単一パーツから、又は一体に接合して少なくとも１つのチャンバ２２を画定する複数のパーツから形成されたものでよい。図２及び図３に示す機器は、送風機組立部品８０を収容する第１のチャンバ２２ａ、及び送出エンジン５０を収容する第２のチャンバ２２ｂ、を形成するために接合された、ツーピース構造を備える。いくつかの実施形態において、筐体２０は、単一のチャンバを画定する。ファンの筐体８２が第２のチャンバ２２ｂ内のファンポート２４によって受容されているという条件では、第１のチャンバ２２ａ及び第２のチャンバ２２ｂは気流連通している。具体的には、図３に示すとおり、空気は、送風機組立部品８０から送出エンジン５０まで、下流へ流れる。本明細書において使用する場合、「下流」は、気流を機器で測定する際の、基準位置からの、後の時点での気流流路内の位置を意味する。
【００４７】
筐体２０は、内壁３２から筐体２０内まで延在する少なくとも１つの突出部３４を備えることができる。少なくとも１つの突出部３４は、例えば、流体移動部材６０を筐体２０の内壁３２から離れた距離に維持しながら、送出エンジン５０の一部に係合するために役立つことができる、釘、リブ、ポスト、支持棒、細長い部材及び／又はピンを備えることができる。また、筐体２０は、入力空気及び出力空気の筐体内外への通過を促進するための、１つ以上の排気口３８を備える。
【００４８】
筐体２０が寸法決めされていることにより、送風機組立部品８０又は蒸発補助要素が起動されている際、１秒当たり約１〜約２０回の換気が行われ、又は１秒当たり約１〜約１０回の換気が行われ、又は１秒当たり約５〜約１０回の換気が行われる。ここで、送風機組立部品８０は、例えば、毎時間３分間（すなわち、５％の負荷サイクルで）、作動するようにプログラムされ、ここで送風機組立部品及び筐体２０は、１秒当たり１０回の換気が行われるように構成され、この負荷サイクル中に１分当たり３０回の換気を行なうことができる。いくつかの実施形態において、チャンバ２２の体積は、約２ｃｃ〜約１００ｃｃ、又は約５ｃｃ〜約７５ｃｃ、又は約１ｃｃ〜約２５ｃｃの範囲である。
【００４９】
送出エンジン５０は流体移動部材６０を備える。流体移動部材６０は、米国特許第８，９３１，７１１号に記載されているものなどの微細孔膜でよい。流体移動部材６０は、蒸気透過性であり、液体を吸い上げることができ、更に、液体の流体移動部材の外へのフリーフローを防止することにより、漏れの問題に対処する。本発明の流体移動部材６０は、約０．０１マイクロメートル（μｍ）〜約０．０６μｍ、あるいは約０．０１μｍ〜約０．０５μｍ、あるいは約０．０１μｍ〜約０．０４μｍ、あるいは約０．０１μｍ〜約０．０３μｍ、あるいは約０．０２μｍ〜約０．０４μｍ、あるいは約０．０２μｍの平均孔径の微細孔膜でよい。流体移動部材６０を、任意の好適な充填剤及び当該技術分野において公知の可塑剤で充填してもよい。充填剤としては、微粒化シリカ、クレイ、ゼオライト、炭酸塩、炭、及びこれらの混合物を挙げることができる。当業者は、流体移動部材の蒸発表面積が、ユーザが好む送出エンジン５０の寸法に応じて異なってもよいことを、理解するであろう。流体移動部材６０の蒸発表面積は、約２ｃｍ2〜約１００ｃｍ2、あるいは約２ｃｍ2〜約２５ｃｍ2、あるいは約１０ｃｍ2〜約５０ｃｍ2でよい。本発明に好適な流体移動部材としては、米国特許第７，４９８，３６９号に記載されているとおりのシリカで任意に充填された、微多孔性、超高分子量ポリエチレン（ＵＨＭＷＰＥ）が挙げられる。このようなＵＨＭＷＰＥ流体移動部材としては、Ｄｒａｍｉｃから入手可能なＤａｒａｍｉｃ（商標）Ｖ５、ＤＳＭ（Ｎｅｔｈｅｒｌａｎｄｓ）から入手可能なＳｏｌｕｐｏｒ（登録商標）、及びＰＰＧ  Ｉｎｄｕｓｔｒｉｅｓから入手可能なＴｅｓｌｉｎ（商標）、並びにこれらの組み合わせが挙げられる。これらの流体移動部材６０は、送出エンジン５０内に液体が入っている一方で、揮発性材料を自由に消散させると考えられる。
【００５０】
送出エンジン５０は、同じ又は異なる香料混合物で充填することができる、１つの貯蔵器５２を備えてもよいことが、及び２つ以上の貯蔵器５２を備えてもよいことが、想到される。貯蔵器５２は、送出エンジン５０を起動する際、流体移動部材と流体連通する任意の構成を有することができる。
【００５１】
装置１０は、蒸発補助要素を備えることができる。本明細書において装置１０は送風機組立部品８０を備えるものとして記載されているものの、他の蒸発補助要素（means）を利用し、本発明のための揮発性香料混合物の蒸発速度を達成可能であることが想到される。そのような蒸発補助要素は、撹拌要素又は撹拌機、電動式撹拌機と手動式撹拌機の両方を備え、貯蔵器内の液体揮発性香料混合物の撹拌を補助することができる。また、蒸発補助要素は、液体揮発性香料混合物を加熱するための加熱要素、蒸発若しくは放出速度を加速するための化学的成分、発熱反応により蒸発の増加をもたらすための化学的に加熱された膜の使用、又はそれらの相乗的な組み合わせを含むことができる。
【００５２】
送風機組立部品８０を使用する場合、それは、ある体積の空気を得るように、並びに／又はある体積の空気をファン入口９０内に及び送出エンジン５０の流体移動部材６０の上に断続的に運ぶように構成された、任意の好適なファン又は構成要素を備えることができる。送風機組立部品８０は、ファンの筐体８２内に収容されていてよい。様々な実施形態において、送風機組立部品８０は、微細孔膜６０から約４６ｃｍ（１８インチ）以下の所に位置決めされていてよい。送風機組立部品８０は、回転式ハブ８４を備えることができ、並びにその回転式ハブから延在する、又はそうでなければ回転式ハブに取り付けられている若しくは回転式ハブと共に形成されている、少なくとも２つのファンブレード８６及びモータ８８を備えることができる。
【００５３】
コントローラ９５は、電源１００及びファン８０と電気的に連通して位置決めすることができ、それにより、コントローラはファン８０に対し、起動タイミング及び回転速度を指示し、上記体積の空気を微細孔膜６０の上に送り込むことができる。電源１００を図２及び図３においてバッテリとして示すものの、これが当該技術分野において公知の他の電源（例えば、太陽光、コンセントなど）でもよい。送風機組立部品８０により得られる空気の速度は、約５フィート／分〜４００フィート／分、又はあるいは約５０フィート／分〜２５０フィート／分でよく、但し、他の空気の速度が、可能なものとしてあり得る。
【００５４】
送風機組立部品８０の作動プログラムは、香料混合物の特性に基づくものでよい。より低い蒸気圧の香料混合物は、より高い蒸気圧の揮発性香料混合物よりも、ゆっくり蒸発すると思われる。様々な実施形態において、送風機組立部品８０は、流体移動部材６０が、揮発性香料混合物の完全飽和状態又はほぼ完全飽和状態に達するまでは起動されていない場合がある。１つの実施形態において、送風機組立部品８０の休止期間（time period：時間幅）は、揮発性香料混合物が蒸発して、気相の揮発性香料混合物で空間を飽和状態にするのに、又は少なくとも部分的に飽和状態にするのに必要な期間に関連したものでよい。送風機組立部品８０の起動期間は、マイクロプロセッサ９５にプログラムされており、気相の揮発性香料混合物の実質的にすべてを送出エンジン５０から大気中に吐出するのに必要な期間に関連したものでよい。蒸気が送出エンジン５０から吐出されてから、送風機組立部品８０を休止状態にすることにより、揮発性香料混合物の一部分を再び気相に投入することができる。
【００５５】
気相の揮発性香料混合物の少なくとも大部分を吐出するために必要な長さの時間と等しい、又はほぼ等しい期間（period of time：時間幅）にわたって、送風機組立部品８０を起動することによって、電源の寿命を最適化することができる。送風機組立部品８０の制御によって、送風機組立部品の稼働時間を最小限に抑えながら、気相の揮発性香料混合物の最大の放出を達成することができる。様々な実施形態において、アクチベータの駆動の順序付け若しくはパターン、又は送風機組立部品８０によって得られる体積の空気の流速を調整することにより、空間内の揮発性香料混合物を完全飽和状態又はほぼ完全飽和状態にでき、気相の揮発性香料混合物の放出を最大限にすることができる。１つの実施形態において、例えば、送風機組立部品８０を約１〜約１０秒間起動し、次いで約１〜約１０秒間休止することができる。
【００５６】
様々な実施形態において、送風機組立部品８０の起動持続時間、又は送風機組立部品がもたらす体積の空気の流速を増し、送出エンジン５０からの揮発性香料混合物の吐出強度を高めることができる。送風機組立部品８０は、連続的に作動してもよく、又は断続的に作動してもよい。送風機組立部品８０は、約５％〜約５０％の負荷サイクル、又は約８％〜約２０％の負荷サイクルにわたって、オンオフを切り替えることができる。送風機組立部品の非断続的な起動の間に一定の期間を設けることによって、ユーザが再び揮発性香料混合物の香気に、より気付きやすくなり、慣れを回避しやすくなる。
【００５７】
液体香料混合物の、送出エンジン５０からの蒸発速度は、約５ｍｇ／時〜約７５ｍｇ／時、又は約１０ｍｇ／時〜約７５ｍｇ／時、又は約１５ｍｇ／時〜約７０ｍｇ／時、又は約２５ｍｇ／時〜約７０ｍｇ／時、又は約２５ｍｇ／時〜約６０ｍｇ／時、又は約２５ｍｇ／時〜約４０ｍｇ／時でよい。
【実施例】
【００５８】
香料強度試験
本明細書における表１中の香料混合物１〜９を、対照混合物に対する香気強度について、表４に示すとおり試験した。
【００５９】
【表４】
0006777658.tif 000007
【００６０】
官能試験室（官能試験の部屋）の説明。大部屋は１５’×１５’×高さ８’である。部屋は３枚のガラル壁を有し、最前の壁にガラス戸がある。後壁はアルミニウムパネルであり、天井は同様にアルミニウムである。床は工業グレードのタイル張りである。この部屋の構造は、典型的な構造（石壁、リノリウムタイルなど）と共通性のある表面内への香料吸収をなくす。
【００６１】
香料強度評価手順
１．官能試験室のエアコントローラを、パージする設定にし、空気を部屋から
建物の外に除去する。この設定を、１５分間維持する。
２．訓練された臭気評価者は、残存する香料又は部屋の臭気が
室内に全く存在しないことを確かめる。室内に残存する臭気が残っている場合、上記のステップ１を繰り返す。
３．部屋を、残存する臭気なしと判断すると、次に、官能試験室のエアコントローラを、１時間当たり２回の換気、及び室内に予備ファンなしに調整する。この値で、部屋を、準備する設定にし、試験値を設定する。この方法において、室温及び湿度を、７０°Ｆの室温及び４０％以下の湿度の、所望の試験設定値に調整する。
４．部屋を所望の設定値に調温調湿（equilibrate）後、評価者は入室し、試験製品を室内の所望の位置に置き、機器を起動する（機器のスイッチを入れる。）。次に、評価者は部屋を去り、背後のドアを確実に締める（ドアを、入退室のために物理的に開けない限り、常に閉めたままになるよう設定する。）。訓練された臭気評価者は、臭気室に入り、ドアを閉める。
５．製品を、室内に６０分間静置しておく。１時間の時点で、訓練された臭気評価者は、入室し、次の６０秒にわたって香料の臭気評価を実施し、室内における、強度、特性、及び分布の観測を行なう。入退室の際、すべてのドアを閉め、試験期間中、閉めたままにしておく。
【００６２】
香料強度の尺度
８１〜１００は、大変に強い、すなわち、極端に強烈であり、鼻の内部に充満するほどであり、もう少しで「味がする」と言うことができるほどである。
６１〜８０は、強い、すなわち、大変に部屋に充満するほどであり、やや強烈である。
４１〜６０は、中程度、すなわち、部屋に充満するほどであり、明確に認めることができる。
２１〜４０は、弱い、すなわち、すべての隅において臭っていると言うことができるほどであり、なお特性を認めることができる。
１〜２０は、大変に弱い、すなわち、部屋のすべての部分で臭っているとは言えないほどである。
０は、臭気なしである。
【００６３】
図１は、本発明による香料混合物が、３０日目であっても、驚くべき優れた香気強度を与えることを示す。
【００６４】
本明細書に開示した寸法及び値は、記載された正確な数値に厳密に限定されるものと理解されるべきではない。むしろ、特に断らない限り、そのような各寸法は、記載された値とその値の周辺の機能的に同等の範囲の両方を意味するものとする。例えば、「４０ｍｍ」として開示される寸法は、「約４０ｍｍ」を意味するものとする。すべての百分率及び比率は、特に指示がない限り、重量で計算される。
【００６５】
「発明を実施するための形態」の中で引用されたすべての文献は、関連部分において、本明細書に参照により組み込まれる。いかなる文献の引用も、それが本開示に関する先行技術であることを承認するものとして解釈されるべきでない。本明細書における用語のいずれかの意味又は定義が、参照により組み込まれる文献における用語のいずれかの意味又は定義と対立する範囲においては、本明細書においてその用語に付与した意味又は定義を適用するものとする。
【００６６】
以上、本開示の特定の実施形態について図示、説明したが、本開示の趣旨及び範囲から逸脱することなく他の様々な変更及び改変が可能である点は当業者には明白であろう。したがって、本開示の範囲内に属するすべてのこのような変更及び修正を、添付された特許請求の範囲に網羅されているものとする。
【図１】
0006777658.tif 000008
【図２】
0006777658.tif 000009
【図３】
0006777658.tif 000010